【手続補正書】
【提出日】平成20年4月14日(2008.4.14)
【手続補正１】
【補正対象書類名】明細書
【補正対象項目名】発明の名称
【補正方法】変更
【補正の内容】
【発明の名称】発光装置及びその作製方法
【手続補正２】
【補正対象書類名】明細書
【補正対象項目名】特許請求の範囲
【補正方法】変更
【補正の内容】
【特許請求の範囲】
【請求項１】
有機発光素子が設けられた第１の基板と、
前記第１の基板と対向して設けられた第２の基板と、
前記第１の基板と前記第２の基板とを貼り合わせるシール材と、
前記第１の基板上の隣り合う前記有機発光素子の間に設けられたバンクと、
を有し、
前記バンクの上端と、前記シール材の上端とが前記第２の基板に接することを特徴とする発光装置。
【請求項２】
有機発光素子が設けられた第１の基板と、
前記第１の基板と対向して設けられた第２の基板と、
前記第１の基板と前記第２の基板とを貼り合わせるシール材と、
前記第１の基板上の隣り合う前記有機発光素子の間に設けられたバンクと、
前記バンクと同一工程にて設けられた絶縁膜と、
を有し、
前記バンク及び前記絶縁膜の上端と、前記シール材の上端とが前記第２の基板に接することを特徴とする発光装置。
【請求項３】
有機発光素子が設けられた第１の基板と、
前記第１の基板と対向する面にカラーフィルターと、当該カラーフィルターを覆う平坦化膜が設けられた第２の基板と、
前記第１の基板と前記第２の基板とを貼り合わせるシール材と、
前記第１の基板上の隣り合う前記有機発光素子の間に設けられたバンクと、
を有し、
前記バンクの上端と、前記シール材の上端とが前記平坦化膜に接することを特徴とする発光装置。
【請求項４】
有機発光素子が設けられた第１の基板と、
前記第１の基板と対向する面にカラーフィルターと当該カラーフィルターを覆う平坦化膜とが設けられた第２の基板と、
前記第１の基板と前記第２の基板とを貼り合わせるシール材と、
前記第１の基板上の隣り合う前記有機発光素子の間に設けられたバンクと、
前記バンクと同一工程にて設けられた絶縁膜と、
を有し、
前記バンク及び前記絶縁膜の上端と、前記シール材の上端とが前記平坦化膜に接することを特徴とする発光装置。
【請求項５】
請求項１乃至４のいずれか一項において、前記シール材の下端は、前記バンク下の導電膜と同一工程で形成される導電膜に接することを特徴とする発光装置。
【請求項６】
有機発光素子が設けられた第１の基板と、
前記第１の基板と対向して設けられた第２の基板と、
前記第１の基板と前記第２の基板とを貼り合わせるシール材と、
前記第１の基板上の隣り合う前記有機発光素子の間に設けられたバンクと、
前記有機発光素子及び前記バンク上に設けられた保護膜と、
を有し、
前記バンク上の前記保護膜と、前記シール材の上端とが前記第２の基板に接することを特徴とする発光装置。
【請求項７】
有機発光素子が設けられた第１の基板と、
前記第１の基板と対向して設けられた第２の基板と、
前記第１の基板と前記第２の基板とを貼り合わせるシール材と、
前記第１の基板上の隣り合う前記有機発光素子の間に設けられたバンクと、
前記バンクと同一工程にて設けられた絶縁膜と、
前記有機発光素子、前記バンク、及び前記絶縁膜上に設けられた保護膜と、
を有し、
前記バンク及び前記絶縁膜上の前記保護膜と、前記シール材の上端とが前記第２の基板に接することを特徴とする発光装置。
【請求項８】
有機発光素子が設けられた第１の基板と、
前記第１の基板と対向する面にカラーフィルターと当該カラーフィルターを覆う平坦化膜とが設けられた第２の基板と、
前記第１の基板と前記第２の基板とを貼り合わせるシール材と、
前記第１の基板上の隣り合う前記有機発光素子の間に設けられたバンクと、
前記有機発光素子及び前記バンク上に設けられた保護膜と、
を有し、
前記バンク上の前記保護膜と、前記シール材の上端とが前記平坦化膜に接することを特徴とする発光装置。
【請求項９】
有機発光素子が設けられた第１の基板と、
前記第１の基板と対向する面にカラーフィルターと、当該カラーフィルターを覆う平坦化膜が設けられた第２の基板と、
前記第１の基板と前記第２の基板とを貼り合わせるシール材と、
前記第１の基板上の隣り合う前記有機発光素子の間に設けられたバンクと、
前記バンクと同一工程にて設けられた絶縁膜と、
前記有機発光素子、前記バンク、及び前記絶縁膜上に設けられた保護膜と、
を有し、
前記バンク及び前記絶縁膜上の前記保護膜と、前記シール材の上端とが前記平坦化膜に接することを特徴とする発光装置。
【請求項１０】
請求項６乃至９のいずれか一項において、前記保護膜は、前記バンク下の導電膜と同一工程で形成される導電膜と、前記シール材に挟まれていることを特徴とする発光装置。
【請求項１１】
請求項６乃至１０のいずれか一項において、前記保護膜は窒化シリコン膜、酸化窒化シリコン膜又はＤＬＣ膜であることを特徴とする発光装置。
【請求項１２】
請求項１乃至１１のいずれか一項において、
前記有機発光素子は、第１の電極と、第２の電極と、前記第１の電極と前記第２の電極の間に挟まれた有機化合物層とを有し、
前記第１の電極の端部は前記バンクに覆われており、
前記有機化合物層及び前記第２の電極は、前記バンクの表面のうち側面にのみ接していることを特徴とする発光装置。
【請求項１３】
請求項１２において、前記第１の電極は光反射性を有する材料からなり、前記第２の電極は透光性を有する材料からなることを特徴とする発光装置。
【請求項１４】
請求項１乃至１３のいずれか一項において、前記第１の基板と前記第２の基板と前記シール材とで囲まれた空隙が真空状態であることを特徴とする発光装置。
【請求項１５】
請求項２、４、７又は９のいずれか一項における前記発光装置は画素部と、駆動回路部とを有し、
前記絶縁膜は、前記画素部と前記シール材の間又は前記駆動回路部上に設けられることを特徴とする発光装置。
【請求項１６】
第１の電極と、第２の電極と、前記第１の電極と前記第２の電極とに挟まれた有機化合物層とを有する有機発光素子が設けられた第１の基板と、前記第１の基板と対向する第２の基板とをシール材を用いて貼り合わせる発光装置の作製方法であって、
前記第１の電極の端部を覆ってバンクを形成し、
前記第１の電極上に前記有機化合物層を形成し、
前記有機化合物層上に前記第２の電極を形成し、
前記バンクの上端に前記第２の基板が接するように前記シール材を用いて前記第１の基板と前記第２の基板を貼り合わせ、前記シール材を硬化することを特徴とする発光装置の作製方法。
【請求項１７】
第１の電極と、第２の電極と、前記第１の電極と前記第２の電極とに挟まれた有機化合物層とを有する有機発光素子が設けられた第１の基板と、前記第１の基板と対向する第２の基板とをシール材を用いて貼り合わせる発光装置の作製方法であって、
前記第１の電極の端部を覆ってバンクを形成すると共に絶縁膜を形成し、
前記第１の電極上に前記有機化合物層を形成し、
前記有機化合物層上に前記第２の電極を形成し、
前記バンク及び前記絶縁膜の上端に前記第２の基板が接するように前記シール材を用いて前記第１の基板と前記第２の基板を貼り合わせ、前記シール材を硬化することを特徴とする発光装置の作製方法。
【請求項１８】
第１の電極と、第２の電極と、前記第１の電極と前記第２の電極とに挟まれた有機化合物層とを有する有機発光素子が設けられた第１の基板と、前記第１の基板と対向する面にカラーフィルターと前記カラーフィルターを覆う平坦化膜が設けられた第２の基板とをシール材を用いて貼り合わせる発光装置の作製方法であって、
前記第１の電極の端部を覆ってバンクを形成し、
前記第１の電極上に前記有機化合物層を形成し、
前記有機化合物層上に前記第２の電極を形成し、
前記バンクの上端に前記平坦化膜が接するように前記シール材を用いて前記第１の基板と前記第２の基板を貼り合わせ、前記シール材を硬化することを特徴とする発光装置の作製方法。
【請求項１９】
第１の電極と、第２の電極と、前記第１の電極と前記第２の電極とに挟まれた有機化合物層とを有する有機発光素子が設けられた第１の基板と、前記第１の基板と対向する面にカラーフィルターと当該カラーフィルターを覆う平坦化膜が設けられた第２の基板とをシール材を用いて貼り合わせる発光装置の作製方法であって、
前記第１の電極の端部を覆ってバンクを形成すると共に絶縁膜を形成し、
前記第１の電極上に前記有機化合物層を形成し、
前記有機化合物層上に前記第２の電極を形成し、
前記バンク及び前記絶縁膜の上端に前記平坦化膜が接するように前記シール材を用いて前記第１の基板と前記第２の基板を貼り合わせ、前記シール材を硬化することを特徴とする発光装置の作製方法。
【請求項２０】
第１の電極と、第２の電極と、前記第１の電極と前記第２の電極とに挟まれた有機化合物層とを有する有機発光素子が設けられた第１の基板と、前記第１の基板と対向する第２の基板とをシール材を用いて貼り合わせる発光装置の作製方法であって、
前記第１の電極の端部を覆ってバンクを形成し、
前記第１の電極上に前記有機化合物層を形成し、
前記有機化合物層上に前記第２の電極を形成し、
前記バンク及び前記第２の電極上に保護膜を形成し、
前記バンク上の前記保護膜に前記第２の基板が接するように前記シール材を用いて前記第１の基板と前記第２の基板を貼り合わせ、前記シール材を硬化することを特徴とする発光装置の作製方法。
【請求項２１】
第１の電極と、第２の電極と、前記第１の電極と前記第２の電極とに挟まれた有機化合物層とを有する有機発光素子が設けられた第１の基板と、前記第１の基板と対向する第２の基板とをシール材を用いて貼り合わせる発光装置の作製方法であって、
前記第１の電極の端部を覆ってバンクを形成すると共に絶縁膜を形成し、
前記第１の電極上に前記有機化合物層を形成し、
前記有機化合物層上に前記第２の電極を形成し、
前記バンク及び前記第２の電極上に保護膜を形成し、
前記バンク及び前記絶縁膜の上端に設けられた前記保護膜に前記第２の基板が接するように前記シール材を用いて前記第１の基板と前記第２の基板を貼り合わせ、前記シール材を硬化することを特徴とする発光装置の作製方法。
【請求項２２】
第１の電極と、第２の電極と、前記第１の電極と前記第２の電極とに挟まれた有機化合物層とを有する有機発光素子が設けられた第１の基板と、前記第１の基板と対向する面にカラーフィルターと前記カラーフィルターを覆う平坦化膜が設けられた第２の基板とをシール材を用いて貼り合わせる発光装置の作製方法であって、
前記第１の電極の端部を覆ってバンクを形成し、
前記第１の電極上に前記有機化合物層を形成し、
前記有機化合物層上に前記第２の電極を形成し、
前記バンク及び前記第２の電極上に保護膜を形成し、
前記バンクの上端に設けられた前記保護膜に前記第２の基板が接するように前記シール材を用いて前記第１の基板と前記第２の基板を貼り合わせ、前記シール材を硬化することを特徴とする発光装置の作製方法。
【請求項２３】
第１の電極と、第２の電極と、前記第１の電極と前記第２の電極とに挟まれた有機化合物層とを有する有機発光素子が設けられた第１の基板と、前記第１の基板と対向する面にカラーフィルターと当該カラーフィルターを覆う平坦化膜が設けられた第２の基板とをシール材を用いて貼り合わせる発光装置の作製方法であって、
前記第１の電極の端部を覆ってバンクを形成すると共に絶縁膜を形成し、
前記第１の電極上に前記有機化合物層を形成し、
前記有機化合物層上に前記第２の電極を形成し、
前記バンク及び前記第２の電極上に保護膜を形成し、
前記バンク及び前記絶縁膜の上端に設けられた前記保護膜に前記第２の基板が接するように前記シール材を用いて前記第１の基板と前記第２の基板を貼り合わせ、前記シール材を硬化することを特徴とする発光装置の作製方法。
【請求項２４】
請求項１７、１９、２１又は２３のいずれか一項において、導電体膜の幅が５０μｍ以下である領域に前記バンク及び前記絶縁膜を設けることを特徴とする発光装置の作製方法。